(57)【要約】【課題】ガラス封止部のガラスの表面状態を、高価な検査装置を用いることなく効率的にガラスの表面状態を検査することができるガラス封止部の検査装置及び検査方法を提供する。【解決手段】ガラス封止部を備える被検査体２０を検査位置に支持する支持部２２と、前記被検査体２０の上方に配置され、前記被検査体を照明する、リング状に光源が配置されたリング照明部２４と、該リング照明部２４の開口２４ｂを通して、前記ガラス封止部に写り込む前記リング照明部２４の光源２４ａの画像とともに前記ガラス封止部を撮影する撮像光学系３０と、該撮像光学系３０により撮影された画像データを解析し、前記ガラス封止部におけるガラスの表面状態を解析する画像解析部３２とを備える。【選択図】図１
2010133717.tif 000002
【特許請求の範囲】
【請求項１】
ガラス封止部を備える被検査体を検査位置に支持する支持部と、
前記被検査体の上方に配置され、前記被検査体を照明する、リング状に光源が配置されたリング照明部と、
該リング照明部の開口を通して、前記ガラス封止部に写り込む前記リング照明部の光源の画像とともに前記ガラス封止部を撮影する撮像光学系と、
該撮像光学系により撮影された画像データを解析し、前記ガラス封止部におけるガラスの表面状態を解析する画像解析部と
を備えることを特徴とするガラス封止部の検査装置。
【請求項２】
前記撮像光学系は、前記ガラス封止部におけるガラスの表面位置の変位が、前記ガラス封止部に写り込む前記リング照明部の光源の画像のピント状態の変化としてとらえられるように被写界深度が設定されていることを特徴とする請求項１記載のガラス封止部の検査装置。
【請求項３】
前記画像解析部は、前記画像データの明るさの度数分布を計測する手段を備えていることを特徴とする請求項１または２記載のガラス封止部の検査装置。
【請求項４】
前記画像解析部は、前記画像データを微分処理し、画像データの明るさに変換する手段を備えていることを特徴とする請求項１〜３のいずれか一項記載のガラス封止部の検査装置。
【請求項５】
前記リング照明部は、複数個のLEDを円環状に配置した光源を備えていることを特徴とする請求項１〜４のいずれか一項記載のガラス封止部の検査装置。
【請求項６】
ガラス封止部を備える被検査体の前記ガラス封止部に設けられたガラスの表面状態を検査する検査方法であって、
リング照明部によりガラス封止部を備える被検査体を照明し、撮像光学系を用いて、前記ガラス封止部に写り込む前記リング照明部の光源の画像とともに前記ガラス封止部を撮影する工程と、
画像解析部により、前記撮像光学系により撮影された画像データを解析し、前記ガラス封止部におけるガラスの表面状態を解析する工程とを備え、
前記撮像光学系は、前記ガラス封止部におけるガラスの表面位置の変位が、前記ガラス封止部に写り込む前記リング照明部の光源の画像のピント状態の変化としてとらえられるように設定され、
前記ガラスの表面状態を解析する工程においては、前記画像データの明るさの度数分布を計測する工程を備え、前記画像データの明るさの度数分布に基づいて前記ガラスの表面の状態を検知することを特徴とするガラス封止部の検査方法。
【請求項７】
前記リング照明部により前記被検査体を照明する工程においては、
円環状に光源を配置したリング照明部を使用することを特徴とする請求項６記載のガラス封止部の検査方法。
【請求項８】
前記画像解析部によりガラスの表面状態を解析する工程においては、画像データを微分処理する工程を備え、
前記画像データの明るさの度数分布を計測する工程においては、前記微分処理を施した画像データについて度数分布を計測することを特徴とする請求項６または７記載のガラス封止部の検査方法。
【請求項９】
前記画像解析部によりガラスの表面状態を解析する工程においては、
画像データの不要部分を除去する工程を備えることを特徴とする請求項８記載のガラス封止部の検査方法。
【請求項１０】
アイレットにリードをガラス封止したガラス封止部を備えるガラス端子を被検査体とする場合であって、
前記リング照明部により前記被検査体を照明する工程においては、円環状に光源を配置したリング照明部を使用し、
前記画像解析部によりガラスの表面状態を解析する工程においては、前記画像データを微分処理する工程と、前記画像データから前記リード及び前記アイレットの不要部分を除去する工程と、前記微分処理を施した画像データについて度数分布を計測する工程を備えることを特徴とする請求項６記載のガラス封止部の検査方法。
【発明の詳細な説明】
【技術分野】
【０００１】
本発明は、ガラス端子等に設けられるガラス封止部の検査装置及びガラス封止部の検査方法に関する。
【背景技術】
【０００２】
光素子を搭載した光半導体装置には、光素子を搭載するアイレットに、信号線等となるリードをガラス封止して形成される製品がある。図１１（ａ）は、光半導体装置のリード１０がガラス封止された部分の断面図を示す。リード１０はアイレット１２を厚さ方向に貫通して設けられた挿通孔１２ａに挿通され、挿通孔１２ａ内にガラス１４が充填されて、アイレット１２に気密に封止される。
【０００３】
このようなガラス封止部は、挿通孔１２ａ内に十分な量のガラス１４が充填されて封止されることが求められる。これは、ガラス封止部における気密性を確保し、リード１０に確実にワイヤボンディングできるようにするためである。挿通孔１２ａに供給されたガラス１４の分量が少ないと、リード１０の支持性が低下し、リード１０にワイヤボンディングした際に十分な接合強度が得られない場合があるからである。
このため、検査工程において、ガラス封止部に所要量のガラス１４が充填されているか否かを検査することがなされている。ガラス封止部に所要量のガラス１４が充填されているか否かの判断基準は、挿通孔１２ａ内におけるガラス１４の凹み分Ｄ（図１１（ｂ））が一定以下（たとえば、０．５ｍｍ以下）であれば良とするといった考え方である。
【特許文献１】特開平１０−１００５３号公報
【特許文献２】特開平７−５８５００号公報
【発明の開示】
【発明が解決しようとする課題】
【０００４】
アイレット１２のガラス封止部についての検査は、従来は目視によって行っている。したがって、ガラス封止部の検査は非効率であるとともに、検査結果にばらつきがあるという問題があった。
ガラス封止部のガラスの充填状態を目視によらずに検査する方法としては、たとえば、レーザフォーカス式変位センサといった、基準位置からの高さ方向の変位を測定する装置を方法がある。しかしながら、レーザフォーカス式変位センサのような、特定点における高さを検知する方法の場合は、ガラス封止部内で複数ポイントを測定する必要があり、正確に高さ測定をすることができるものの、測定が煩雑になるという問題がある。また、マイクロレンズを使用して測定することも可能であるが、装置が高価であるという難点がある。
【０００５】
本発明は、ガラス端子のガラス封止部のようなガラスの表面状態を検査する場合に、高価な検査装置を用いることなく、効率的にかつ確実にガラスの表面状態を検査することができるガラス封止部の検査装置及び検査方法を提供することを目的とする。
【課題を解決するための手段】
【０００６】
上記目的を達成するために、本発明は次の構成を備える。
すなわち、ガラス封止部の検査装置において、ガラス封止部を備える被検査体を検査位置に支持する支持部と、前記被検査体の上方に配置され、前記被検査体を照明する、リング状に光源が配置されたリング照明部と、該リング照明部の開口を通して、前記ガラス封止部に写り込む前記リング照明部の光源の画像とともに前記ガラス封止部を撮影する撮像光学系と、該撮像光学系により撮影された画像データを解析し、前記ガラス封止部におけるガラスの表面状態を解析する画像解析部とを備えることを特徴とする。なお、リング状に光源が配置されたリング照明部とは、光源が周方向に連続して配置されている場合、光源が周方向に所定間隔をあけて配置されている場合の双方を含む意である。また、ガラスの表面状態とは、基準高さ位置に対するガラス表面の高さ位置、ガラス表面の凹凸、傾斜状態等を意味する。
【０００７】
前記撮像光学系は、前記ガラス封止部におけるガラスの表面位置の変位が、前記ガラス封止部に写り込む前記リング照明部の光源の画像のピント状態の変化としてとらえられるように被写界深度が設定されていることにより、前記画像解析部により画像データにおける明るさを解析して前記ガラス封止部のガラスの表面状態を解析することができる。
また、前記画像解析部は、前記画像データの明るさの度数分布を計測する手段を備えていることにより、正確にガラスの表面状態を把握することができる。
また、前記画像解析部は、前記画像データを微分処理し、画像データの明るさに変換する手段を備えていることによって、さらに正確にガラスの表面状態を把握することができる。
【０００８】
また、ガラス封止部を備える被検査体の前記ガラス封止部に設けられたガラスの表面状態を検査する検査方法であって、リング照明部によりガラス封止部を備える被検査体を照明し、撮像光学系を用いて、前記ガラス封止部に写り込む前記リング照明部の光源の画像とともに前記ガラス封止部を撮影する工程と、画像解析部により、前記撮像光学系により撮影された画像データを解析し、前記ガラス封止部におけるガラスの表面状態を解析する工程とを備え、前記撮像光学系は、前記ガラス封止部におけるガラスの表面位置の変位が、前記ガラス封止部に写り込む前記リング照明部の光源の画像のピント状態の変化としてとらえられるように設定され、前記ガラスの表面状態を解析する工程においては、前記画像データの明るさの度数分布を計測する工程を備え、前記画像データの明るさの度数分布に基づいて前記ガラスの表面の状態を検知することを特徴とする。
【０００９】
また、前記リング照明部により前記被検査体を照明する工程においては、円環状に光源を配置したリング照明部を使用することにより、ガラス封止部のガラス表面の略全域について検査することができる。
また、前記画像解析部によりガラスの表面状態を解析する工程においては、画像データを微分処理する工程を備え、前記画像データの明るさの度数分布を計測する工程においては、前記微分処理を施した画像データについて度数分布を計測することにより、ガラス封止部におけるガラスの表面状態を高精度に検査することができる。
また、前記画像解析部によりガラスの表面状態を解析する工程においては、画像データの不要部分を除去する工程を備えることにより、さらに高精度にガラスの表面状態を検知することができる。
【００１０】
また、アイレットにリードをガラス封止したガラス封止部を備えるガラス端子を被検査体とする場合においては、前記リング照明部により前記被検査体を照明する工程においては、円環状に光源を配置したリング照明部を使用し、前記画像解析部によりガラスの表面状態を解析する工程においては、前記画像データを微分処理する工程と、前記画像データから前記リード及び前記アイレットの不要部分を除去する工程と、前記微分処理を施した画像データについて度数分布を計測する工程を備えることが好適である。
【発明の効果】
【００１１】
本発明に係るガラス封止部の検査装置及び検査方法によれば、ガラス封止部をリング照明部によって照明し、リング照明部に写り込む光源の像を撮像光学系によって撮影する方法によることで、容易にガラス封止部におけるガラスの表面状態を検査することができる。
【発明を実施するための最良の形態】
【００１２】
以下、本発明に係るガラス封止部の検査装置及び検査方法の適用例として、ガラス端子のリードをガラス封止したガラス封止部を検査する例について説明する。
（検査装置の構成）
図１に、ガラス端子のガラス封止部の検査に用いた検査装置の概略構成を示す。被検査体であるガラス端子２０を検査する検査部は、ガラス端子２０を位置決めしてセットするセット台２２と、セット台２２の上方に配置したリング照明部２４と、リング照明部２４の上部に、リング照明部２４と同軸に配置した撮像光学系３０とを備える。
【００１３】
ガラス端子２０は、アイレットに２本のリード２１をガラス封止したものである。セット台２２にはアイレットから下方に延出するリード２１が挿入される挿入孔が設けられ、挿入孔の縁部にアイレットの周縁部が係止されて、セット台２２にガラス端子２０が支持される。
リング照明部２４は、平面形状がリング状に形成された支持体の下面に、多数個のLED２４ａを周方向に一周する配置に互いに隣接させて取り付けたものである。実施形態においては、照明用の光源として赤色LEDを使用した。光源の光源色はとくには限定されない。リング照明部２４の支持体の外周径は50ｍｍ、支持体の内周径は28ｍｍである。リング照明部２４は照明電源２５に接続され、照明電源２５によって点灯が制御される。
【００１４】
撮像光学系３０は、光学レンズ２６とCCDカメラ２８とを内蔵する。CCDカメラ２８は、視野2.1ｍｍ×1.6ｍｍ、解像度640pix×480pix、分解能3.3μｍ／pixである。被検査体のガラス端子２０に設けられているガラス封止部の径は1.1ｍｍである。CCDカメラ２８は、視野内に一つのガラス封止部の全体を画像として取り込むことができるように設定されている。
【００１５】
CCDカメラ２８によって取り込まれた画像の解析部として、画像解析部３２と入力部３４とモニター３６を備える。画像解析部３２はCCDカメラ２８に接続され、入力部３４とモニター３６は画像解析部３２に接続されている。
【００１６】
（撮像光学系のセッティング）
被検査体であるガラス端子２０の上方にリング照明部２４を配置し、リング照明部２４の中心線位置と同芯に撮像光学系３０を配置する構成としているのは、リング照明部２４の中央の開口２４ｂを通して、ガラス端子２０のガラス封止部をCCDカメラ２８によって視認できるようにするためである。
本実施形態においては、ガラス端子２０のガラス封止部にリング照明部２４にリング状に配置されている光源の像が写りこ込むように、いいかえればガラス封止部によって反射した光源の像がCCDカメラ２８によって視認される配置に撮像光学系３０を配置する。
【００１７】
図２に、CCDカメラ２８によって視認されるガラス封止部の像の様子を示す。
図２（ａ）は、ガラス封止部に充填されたガラス１４の表面が凹面状（図で下に凸）になった場合である。この場合は、写真に示すように、ガラス封止部のガラスに写り込む光源の像は二重のリング状になる。リング状に像が見えるのは、光源がリング状に配置されているからである。画像には、挿通孔の中央に挿通されたリード（中央の白い部分）と、その周囲のガラス（黒い部分）と、挿通孔の円形の縁部が写っている。
【００１８】
図２（ｂ）は、ガラス封止部に充填されたガラス１４の表面が凸面状になった状態である。この場合には、写真に示すように一重のリング状に光源の像が写る。
図３に、ガラス封止部に充填されたガラス１４の表面が凸面状となる場合と凹面状となる場合とで、光源の像が一重と二重になる原理を示す。
図３（ａ）は、ガラス１４の表面が凸状になった場合で、この場合は、ガラス１４の湾曲面（あるいは湾曲面と平面との境界部分）であるＡ点の位置での反射光によって一重のリング状の像が視認される。これに対して、ガラス１４の表面が凹面状になった場合には、図３（ｂ）に示すように、湾曲面（湾曲面と平面との境界部分）がＢ点とＣ点の２個所に生じることによって、二重のリング状の像となる。
【００１９】
図２（ｃ）は、ガラス封止部におけるガラス１４の充填量が少ない場合で、アイレットの表面から見てガラス１４の表面位置がかなり低い位置にある状態である。この場合には、CCDカメラ２８によって視認される光源の像はぼやけた像となる。
【００２０】
本実施形態における撮像光学系のセッティングにおいては、ガラス封止部にリング照明部２４の光源の像が写り込むように設定することに加えて、ガラス封止部におけるガラス１４の充填状態をガラス封止部に写り込んだ光源の像のピント状態の変化、いいかえれば光源の像の輝度の変化として捕らえられるように光学系を設定している。アイレットの表面を基準として、このアイレットの表面に対してガラス１４の表面の位置が変位すると、CCDカメラ２８によって視認される光源の像がぼけるのは、このようなセッティングとしていることによる。
【００２１】
ガラス封止部におけるガラス１４の充填状態の良否判定は、ガラス封止部のガラス１４の表面がアイレットの表面を基準にしてどの程度下方にあるか（低位であるか）によって判定している。本実施形態においては、アイレットの表面よりもガラス１４の表面が0.5ｍｍを超えて下方に変位している場合に不良と判定する。したがって、ガラス封止部を視認する光学系は、ガラス封止部におけるガラス１４の表面の高さ位置がアイレットの表面に対して0.5ｍｍ程度変位した場合に、ガラス封止部に写り込む光源の像の輝度変化として的確に捕らえられるように設定する。
【００２２】
ガラス端子の製造工程を考えると、ガラス封止部のガラス分量がばらついてガラスの表面の高さ位置が±0.1ｍｍ程度ばらつくことは十分に考えられる。したがって、ガラス封止部の良否判定における測定誤差として±0.1ｍｍ程度のばらつきは許容される。このため、本実施形態では、光学系の被写界深度を±0.05ｍｍに設定して計測を行った。
【００２３】
（ガラス封止部の検査方法）
図１に示す検査装置を用いてガラス封止部におけるガラスの充填状態を検査する方法を図４にフロー図として示す。
まず、被検査体であるガラス端子２０を被検査体の支持部としてのセット台２２にセットし、CCDカメラ２８の視野内にガラス端子２０のガラス封止部を位置合わせし、CCDカメラ２８によってガラス封止部を撮影して画像データを取得する（ステップ４０）。次いで、取得した画像データを画像解析部３２により画像解析するステップに進む。
【００２４】
画像解析のステップでは、まず、撮影した画像に微分処理を行い、輝度変化の傾きを、明るさによって表現した画像に変換する（ステップ４１）。
次いで、リード部分とガラス封止部の周囲のアイレットの部分をマスクして除去し、画像処理の際に不要となる部分を除去する（ステップ４２）。
次に、処理後の画像について明るさを検知し輝度変化の傾きの度数を計測する（ステップ４３）。処理後の画像の明るさは、前のステップにおける微分処理によって輝度変化の傾きに相当する。したがって、画像内の各点の明るさを検知し、画像内における明るさの度数分布を得ることによって輝度変化の傾きについての度数分布表が得られる。
【００２５】
本実施形態の画像データの明るさは、0〜255までの範囲にある。画像内で黒となっている部分は明るさが0であり、光源の像がはっきりと写っている部分は、255に近い値となる。明るさの度数分布は、具体的には画像内における各点（各々の単位セル部分）の明るさを検知することによって、0〜255までの明るさについて度数分布表が得られる。
【００２６】
画像解析によって得られる輝度変化の傾き（明るさ）は、CCDカメラ２８によってガラス封止部を撮影して得られた光源の像のピント状態を反映する。すなわち、得られた画像の光源の像のピントが合っている場合は明るくなり、ピントが合っていないと明るさが低下する。撮像光学系のピントの位置はアイレットの表面位置を基準として設定するから、光源の像のピントが合っているということは、ガラス封止部のガラス１４の表面位置がアイレットの表面から外れていない（基準位置に近い）ことを意味し、光源の像のピントが合っていないということは、ガラス１４の表面の位置がアイレットの表面の位置から変位していることを意味する。
【００２７】
図５に、CCDカメラ２８によって取得したガラス封止部の画像と、画像に写っている光源の像の明るさ（グラフの横軸は像と交差する向き）を表すグラフを示す。
図５（ａ）は、ガラス封止部のガラス１４の表面がアイレットの表面に近い位置、すなわち光源の像のピントが合った状態である。図５（ｂ）は、光源の像のピントが合っていない場合である。２つのグラフを対比して見ると、光源の像の明るさに強弱があることがわかる。
図５（ａ）、（ｂ）に示すように、CCDカメラ２８によって取得された画像データの光源の像の明るさを比較することにより、画像のピントがあっているか否か、すなわち、ガラス封止部のガラス１４の表面位置がアイレットの表面から大きく変位しているか否かを知ることができる。
【００２８】
前述したステップ４１においては、CCDカメラ２８によって取得された画像データを微分処理し、光源の輝度変化の傾き（輝度変化の変化率）を表す画像に変換している。これは、取得された画像データを明るさ（輝度）のみによって比較すると、輝度変化の傾きが小さくても画像としては明るく表れる場合があり、画像のピント特性を正確に反映しない場合があり得るからである。
【００２９】
画像データに微分処理を施し、画像処理に不要となるリード部分とガラス封止部の周囲のアイレットの部分を除去した後、処理後の画像について輝度変化の傾きの度数を計測し、輝度変化の傾きについての度数分布表を取得し、その結果に基づいて良否判定する（ステップ４４）。
輝度変化の傾き（画像の明るさ）は、本実施形態の装置においては、0〜255の範囲に分布する。したがって、良不良を判定する閾値は、適宜設定することになる。
図６〜９に、実際のガラス端子についてガラス封止部を撮影し、画像処理した状態を示す。
【００３０】
図６は、画像データに微分処理を施し、リードとアイレットの不要部分を除去した画像である。図６のサンプルは、ガラス封止部のガラス１４の表面が凹面状となっているものである。
この処理後の画像について輝度変化の傾き（明るさ）を測定して得られた度数分布表では、輝度変化の傾きの値が255以上の度数が3275、輝度変化の傾きの値が234〜254までの度数は、合計300度数程度であった。
ガラス封止部の画像データを処理して測定したところ、光源の像のピントが合っていない場合には、画像内の明るさは200以下になった。画像データから良不良を判定する場合の判定基準（閾値）は、適宜設定することになるが、ここでは、光源の像のピントが合っている領域と考えられる明るさが234〜255の範囲について、度数がどのようになるかを調べている。
【００３１】
図６の計測データでは、明るさ255以上のデータの度数が圧倒的に大きいことから、光源の画像のピントが正確に合っていること、すなわち、アイレットの表面からのガラス表面の凹み量は僅かであること（良品）を示す。
また、リング照明部２４の光源の像が二重リング状にきれいに分離し、周方向に連続してあらわれることから、ガラス１４の表面が全体としてバランスのよい均一な表面になっていることがわかる。
【００３２】
図７は、ガラス封止部のガラス１４の表面が凸面状になっているサンプルの例である。画像データに微分処理を施し、画像処理に不要なリードとアイレットの部分を除去している。
この画像について明るさの程度を測定して得られた度数分布表によると、明るさが255以上の度数が247、明るさが234〜254までの度数が合わせて90度数程度である。図６に示すガラス封止部にくらべると、234以上の度数は少ないことから、このサンプルのガラス表面のアイレット表面からの変位量は、図６のサンプルよりも大きいと考えられるが、このサンプルも良品と判定される。
また、このサンプルでは、リング照明部２４の光源の像が半周程度しか表れないことから、ガラス１４の表面が傾斜した状態になっていることがわかる。
【００３３】
図８は、ガラス１４の表面が凹面状となっているサンプルの例である。
図８に示す画像について、明るさを測定して得られた度数分布表では、明るさが255以上の度数が349、明るさが234〜254までの度数は、合わせて200度数程度であった。このサンプルも、234〜255の度数を有することから、良品と判定される。
また、このサンプルでは、リング照明部２４の光源の像が周方向に連続していないことから、ガラス１４の表面が傾斜していることがわかる。
【００３４】
図９は、ガラス１４の表面が凹面状となっているサンプルで、アイレット表面に対するガラス１４の凹み量が大きなサンプルの例である。
図９に示す画像について、明るさを測定して得られた度数分布表では、明るさが255となる度数は0、明るさが234〜254までの度もすべて0であった。このサンプルの測定結果は、図６、７、８に示した測定結果とは対照的であり、明るさが234以上となる点がどこにも見出されない結果となっている。したがって、このサンプルは不良品と判定される。アイレットの表面位置からガラス１４の表面位置が大きく外れている（低位となっている）ために、画像内において明るい点が得られなかったものである。
【００３５】
図１０に、不良品として判定されたいくつかのサンプルについて、アイレット表面からガラス１４の表面までの凹み量についての実測値とともに、画像データ及び明るさの度数分布を計測した結果を示す。
図１０に示したサンプルは、ガラス１４のアイレット表面からの凹み量が、0.5323mm、0.5797mm、0.6634mm、0.7434mm、0.7842mm、0.8793mmとなっている６種類のサンプルである。これらのサンプルについての画像データを比較すると、ガラスの凹み量が大きくなるにしたがって、光源の像がぼやけていくことがわかる。ガラスの凹み量が大きくなるにしたがって光源の画像のピントのずれが大きくなっている。
【００３６】
また、画像について明るさの度数分布を測定した結果は、いずれのサンプルについても、明るさが234〜255の範囲にはいる度数は一つもないことを示している。この測定結果は、画像解析によって求めた明るさの度数分布を基準として、製品の良否判定を行うことが有効であることを示す。明るさの度数分布を基準にして良否判定する際の基準は、適宜設定すればよいが、例として、明るさが234〜255の範囲にはいる度数が１つでもあれば良品とし、度数が１つもない場合には不良品とする方法が考えられる。
【００３７】
本実施形態においては、ガラス封止部のガラス表面のアイレット表面からの凹み量を0.5ｍｍまでは許容する条件として、光学系の被写界深度等の各種条件を設定した。明るさが234〜255の範囲について度数分布を調べたものも便宜的なものであって、判定条件は製品により、あるいは良否の判定条件によって適宜設定すればよい。
なお、上述した説明において、明るさが234〜255の範囲等した場合の「明るさ」は、画像データとして取得された明るさそのものを指しているのではなく、微分処理を行った後の画像における明るさである。もちろん、微分処理を行わない状態での画像内における明るさを比較して明るさについての度数分布を計測し、その結果に基づいて良否判定ができる場合には、画像の微分処理を行わなくてもよい。
【００３８】
本発明に係るガラス封止部の検査方法は、ガラス封止部にリング照明部の光源の像を写り込ませ、光源の像のピント状態を検知してガラス封止部におけるガラスの状態（充填状態、ガラスの平面形状）を検知するものである。したがって、位置センサを用いて被検査体の表面位置を正確に測定するといった方法と比較すれば、測定精度は劣るが、上述した実施形態のように、ガラス表面の変位量が0.5ｍｍを良否基準とし、測定誤差が±0.1ｍｍ程度まで許容する条件の場合には、有効に利用することができる。
【００３９】
また、上記実施形態において、照明体としてリング照明部２４を使用し、ガラス封止部にリング照明部２４に設けたリング状の光源を写り込むように設定することにより、リード１０の周囲を封止するガラス１４の表面状態を周方向にわたって簡単に検知することができる。たとえば、ガラス封止部に写り込んだ光源の像が周方向に連続しない状態になれば、ガラスの表面が傾斜した状態にあるといったことを知ることができる。
照明体は、周方向に連続して光源を配置するかわりに、周方向に所定間隔をおいて複数個所に光源を配置する方法であっても、ガラスの周方向における表面状態を検知することができる。
本実施形態においては、ガラス封止部のガラスの表面の位置が１個所でも、基準位置（ガラスの凹み量が0.5ｍｍ以下）を超えれば良品とするから、このような場合には、リング状の光源を使用することは有効である。
【００４０】
上述した実施形態は、ガラス端子のリードをガラス封止した部分に適用した例であるが、本発明はリードを封止したガラス封止部についての検査のみに適用されるものではない。たとえば、基体に設けた透孔をガラス封止したような場合に、そのガラスによる封止状態を検査するといったような場合にも、同様に適用することができる。
【図面の簡単な説明】
【００４１】
【図１】ガラス封止部の検査装置の概略構成を示す説明図である。
【図２】ガラス封止部の構成と、ガラス封止部の画像データである。
【図３】ガラス封止部のガラスによる光反射を示す説明図である。
【図４】画像処理のフロー図である。
【図５】画像データと画像内の光源の像の明るさを示すグラフである。
【図６】画像データを微分処理し、不要部分を除去した画像である。
【図７】画像データを微分処理し、不要部分を除去した画像である。
【図８】画像データを微分処理し、不要部分を除去した画像である。
【図９】画像データを微分処理し、不要部分を除去した画像である。
【図１０】不良品のガラス封止部について画像データ及び度数分布を示す図である。
【図１１】光半導体装置のガラス封止部を示す断面図である。
【符号の説明】
【００４２】
１０  リード
１２  アイレット
１２ａ  挿通孔
１４  ガラス
２０  ガラス端子
２１  リード
２２  セット台
２４  リング照明部
２４ａ  LED
２４ｂ  開口
２５  照明電源
２６  光学レンズ
２８  CCDカメラ
３０  撮像光学系
３２  画像解析部
３４  入力部
３６  モニター
【図１】
2010133717.tif 000003
【図３】
2010133717.tif 000004
【図４】
2010133717.tif 000005
【図１１】
2010133717.tif 000006
【図２】
2010133717.tif 000007
【図５】
2010133717.tif 000008
【図６】
2010133717.tif 000009
【図７】
2010133717.tif 000010
【図８】
2010133717.tif 000011
【図９】
2010133717.tif 000012
【図１０】
2010133717.tif 000013